(57)【要約】【課題】ゴミ廃棄場で発生したゴミの処理実績を、ゴミ廃棄場において正確かつ能率的にチェック可能にすること。【解決手段】ゴミ廃棄場で発生したゴミを当該ゴミの種類に対応する表示が付されているゴミ袋１１Ａ〜１１Ｄに納め、当該ゴミ袋１１Ａ〜１１Ｄをゴミ収集箱１２に投入し、ゴミ収集箱１２に収集されたゴミ袋１１Ａ〜１１Ｄをゴミ処理場に運搬して処理するゴミ処理管理システムにおいて、ゴミ袋１１Ａ〜１１Ｄにはゴミの種類に対応する管理用ラベルａ〜ｄが取着され、ゴミ収集箱１２にはラベル回収具１３が付帯され、ゴミ袋１１Ａ〜１１Ｄをゴミ収集箱１２に投入する度に、ゴミ袋１１Ａ〜１１Ｄに取着されていた管理用ラベルａ〜ｄがゴミ袋１１Ａ〜１１Ｄから取外されてラベル回収具１３に回収されるもの。【選択図】  図１
2004217329.tif 000002
【特許請求の範囲】
【請求項１】
ゴミ廃棄場で発生したゴミを当該ゴミの種類に対応する表示が付されているゴミ袋に納め、当該ゴミ袋をゴミ収集箱に投入し、ゴミ収集箱に収集されたゴミ袋をゴミ処理場に運搬して処理するゴミ処理管理システムにおいて、
ゴミ袋にはゴミの種類に対応する管理用ラベルが取着され、
ゴミ収集箱にはラベル回収具が付帯され、
ゴミ袋をゴミ収集箱に投入する度に、ゴミ袋に取着されていた管理用ラベルがゴミ袋から取外されてラベル回収具に回収されることを特徴とするゴミ処理管理システム。
【請求項２】
前記ラベル回収具がゴミ廃棄場の管理元に移送され、管理元において回収された管理用ラベルに基づきゴミの種類毎の処理状況を管理可能にする請求項１に記載のゴミ処理管理システム。
【請求項３】
前記ゴミ袋に、ゴミの種類に対応する表示用ラベルが取着され、前記管理用ラベルが該表示用ラベルから分離可能な状態で該表示用ラベルに結合されてなる請求項１又は２に記載のゴミ処理管理システム。
【請求項４】
前記管理用ラベルがゴミの種類を色分け表示する請求項１〜３のいずれかに記載のゴミ処理管理システム。
【請求項５】
前記管理用ラベルがゴミの種類を文字表示する請求項１〜４のいずれかに記載のゴミ処理管理システム。
【請求項６】
前記管理用ラベルがゴミ袋に剥離可能に貼着される請求項１〜５のいずれかに記載のゴミ処理管理システム。
【請求項７】
前記管理用ラベルが台状のラベル回収具に貼着される請求項１〜６のいずれかに記載のゴミ処理管理システム。
【発明の詳細な説明】
【０００１】
【発明の属する技術分野】
本発明は、建築現場等のゴミ廃棄場で発生したゴミ袋を処理するゴミ処理管理システムに関する。
【０００２】
【従来の技術】
建築現場等のゴミ廃棄場で発生した紙くずＡ、ボードくずＢ、金属くずＣ、プラスチックくずＤ等の各種ゴミは、図２に示す如く、ゴミ廃棄者によって対応するゴミ袋１Ａ〜１Ｄに納められ、ゴミ収集箱２に投入される。このとき、複数人のゴミ廃棄者がそれらのゴミ袋１Ａ〜１Ｄを異なるタイミングでゴミ収集箱２に投入する。
【０００３】
そして、ゴミ収集箱２がゴミ袋１Ａ〜１Ｄで満杯になると、ゴミ処理業者がそれらのゴミ袋１Ａ〜１Ｄをゴミ処理場に運搬して処理する。ゴミ処理業者は、ゴミ収集箱２から取出して処理したゴミ袋１Ａ〜１Ｄの種類、個数をチェックし、このチェック結果をゴミ処理実績として、建築会社等のゴミ管理元に報告する。
【０００４】
ここで、ゴミ袋１Ａ〜１Ｄは、特許文献１に記載の如く、袋の色をゴミの種類によって異ならせたり、袋の表面にゴミの種別を示す文字を印刷している。従って、ゴミ処理業者は、袋に付された色や文字の表示Ａ〜Ｄを視認して、上述のゴミ袋１Ａ〜１Ｄの種類、個数をチェックする。
【０００５】
【特許文献１】
特開２０００−８５９０４（［００２６］、［００２７］、図１）
【０００６】
【発明が解決しようとする課題】
（１）ゴミ廃棄場で発生したゴミは、ゴミの種別に応じた色、文字の表示Ａ〜Ｄを付したゴミ袋１Ａ〜１Ｄに納められてゴミ収集箱２に投入されるものの、その投入状況は記録されていない。従って、ゴミ廃棄場で発生したゴミの処理実績を、ゴミ廃棄場において正確かつ能率的にチェックすることができない。
【０００７】
（２）ゴミ廃棄場で発生したゴミの処理実績が、ゴミ処理業者によるゴミ袋１Ａ〜１Ｄの種類、個数のチェックを介して、しかもゴミ処理業者がゴミ袋１Ａ〜１Ｄをゴミ処理場に運搬して処理した時点以後に、ゴミ管理元に報告される。従って、ゴミ管理元によるゴミの処理実績の管理が遅れる。
【０００８】
（３）ゴミ処理業者は、ゴミ袋１Ａ〜１Ｄに付されている色、文字の表示Ａ〜Ｄを視認することによって、上述（２）のゴミ袋１Ａ〜１Ｄの種類、個数をチェックするものであり、そのチェックにミスが入り易い。従って、上述（２）のゴミ管理元によるゴミの処理実績の管理精度を向上することに困難がある。
【０００９】
本発明の課題は、ゴミ廃棄場で発生したゴミの処理実績を、ゴミ廃棄場において正確かつ能率的にチェック可能にすることにある。
【００１０】
本発明の他の課題は、ゴミ管理元によるゴミの処理実績の管理の迅速と高精度を図ることにある。
【００１１】
【課題を解決するための手段】
請求項１の発明は、ゴミ廃棄場で発生したゴミを当該ゴミの種類に対応する表示が付されているゴミ袋に納め、当該ゴミ袋をゴミ収集箱に投入し、ゴミ収集箱に収集されたゴミ袋をゴミ処理場に運搬して処理するゴミ処理管理システムにおいて、ゴミ袋にはゴミの種類に対応する管理用ラベルが取着され、ゴミ収集箱にはラベル回収具が付帯され、ゴミ袋をゴミ収集箱に投入する度に、ゴミ袋に取着されていた管理用ラベルがゴミ袋から取外されてラベル回収具に回収されるようにしたものである。
【００１２】
請求項２の発明は、請求項１の発明において更に、前記ラベル回収具がゴミ廃棄場の管理元に移送され、管理元において回収された管理用ラベルに基づきゴミの種類毎の処理状況を管理可能にするようにしたものである。
【００１３】
請求項３の発明は、請求項１又は２の発明において更に、前記ゴミ袋に、ゴミの種類に対応する表示用ラベルが取着され、前記管理用ラベルが該表示用ラベルから分離可能な状態で該表示用ラベルに結合されてなるようにしたものである。
【００１４】
請求項４の発明は、請求項１〜３のいずれかの発明において更に、前記管理用ラベルがゴミの種類を色分け表示するようにしたものである。
【００１５】
請求項５の発明は、請求項１〜４のいずれかの発明において更に、前記管理用ラベルがゴミの種類を文字表示するようにしたものである。
【００１６】
請求項６の発明は、請求項１〜５のいずれかの発明において更に、前記管理用ラベルがゴミ袋に剥離可能に貼着されるようにしたものである。
【００１７】
請求項７の発明は、請求項１〜６のいずれかの発明において更に、前記管理用ラベルが台状のラベル回収具に貼着されるようにしたものである。
【００１８】
【作用】
請求項１の発明によれば下記（１）の作用効果がある。
（１）ゴミ袋をゴミ収集箱に投入する度に、ゴミ袋に取着されていた管理用ラベルがゴミ袋から取外されてラベル回収具に回収される。従って、ゴミ廃棄場で発生したゴミの処理実績を、ゴミ廃棄場におけるゴミ収集箱への投入実数のチェックによることなく、ゴミ廃棄場においてラベル回収具に回収された管理用ラベルの回収状況に基づき正確かつ能率的にチェックできる。
【００１９】
請求項２の発明によれば下記（２）、（３）の作用効果がある。
（２）ラベル回収具がゴミ管理元に移送され、ゴミ廃棄場で発生したゴミの処理実績を管理元において直ちに管理できる。
【００２０】
（３）管理元は、ラベル回収具に回収された管理用ラベルの回収状況に基づき、上述（２）のゴミの処理実績を高精度に管理できる。
【００２１】
請求項３の発明によれば下記（４）〜（６）の作用効果がある。
（４）ゴミ袋は、ゴミの種類に対応する表示用ラベルと管理用ラベルを併せ備える。従って、ゴミ袋をゴミ収集箱に投入するときに、管理用ラベルがゴミ袋から取外されても、当該ゴミ袋には表示用ラベルが残存し、この表示用ラベルがゴミ処理場での当該ゴミ袋の分別処理の目安になる。
【００２２】
（５）表示用ラベルと管理用ラベルが分離可能な状態で結合されているから、それらのラベルはゴミ袋に１度に取着でき、ラベルの取着作業性が良い。
【００２３】
（６）表示用ラベルと管理用ラベルをゴミ袋から取外し可能とする場合には、ゴミ袋を任意の種類のゴミ用に繰り返し利用でき、ゴミ袋の取扱性が良い。
【００２４】
請求項４の発明によれば下記（７）の作用効果がある。
（７）管理用ラベルを色分け表示することにより、ゴミの種類の表示性が良い。
【００２５】
請求項５の発明によれば下記（８）の作用効果がある。
（８）管理用ラベルを文字表示することにより、ゴミの種類の表示性が良い。
【００２６】
請求項６の発明によれば下記（９）の作用効果がある。
（９）管理用ラベルをゴミ袋に剥離可能に貼着することにより、ラベルの取着作業性、取外し作業性が良い。
【００２７】
請求項７の発明よれば下記（１０）の作用効果がある。
（１０）管理用ラベルが台状のラベル回収具に貼着されることにより、ラベル回収具の取扱性が良い。
【００２８】
【発明の実施の形態】
図１は本発明の一実施形態を示す模式図、図２は従来例を示す模式図である。図１に示したゴミ処理管理システム１０は、建築会社等の管理下で、住宅等を建築している建築現場等のゴミ廃棄場で発生した紙くずＡ、ボードくずＢ、金属くずＣ、プラスチックくずＤ等の各種ゴミを下記▲１▼〜▲４▼の手順で処理する。
【００２９】
▲１▼ゴミ袋１１Ａ〜１１Ｄへのゴミの収納
ゴミ廃棄場で発生したゴミは、このゴミ廃棄場の複数人のゴミ廃棄者のそれぞれにより、当該ゴミの種類に対応する表示Ａ〜Ｄ…が予め取着されたゴミ袋１１Ａ〜１１Ｄ…に納められる。本実施形態では、ゴミ袋１１Ａ〜１１Ｄに取着する表示Ａ〜Ｄを、表示用ラベルＡ〜Ｄとしている。
【００３０】
表示用ラベルＡ〜Ｄは、ゴミの種類を色分け表示、即ちゴミの種類に応じて異なる色が付されたものとすることができる。
【００３１】
表示用ラベルＡ〜Ｄは、ゴミの種類を文字表示、即ちゴミの分別文字たる「可燃物」、「不燃物」等、ゴミの種別文字たる「缶」、「合板」が付されたものとすることができる。
【００３２】
表示用ラベルＡ〜Ｄは、ゴミ袋１１Ａ〜１１Ｄの表面に剥離可能に貼着されるものとすることができる。
【００３３】
ゴミ袋１１Ａ〜１１Ｄは、ゴミの種類に対応する管理用ラベルａ〜ｄ…が予め取着されている。各ゴミ袋１１Ａ〜１１Ｄにおいて、表示用ラベルＡ〜Ｄと管理用ラベルａ〜ｄは同一のゴミの種類に対応する。本実施形態では、管理用ラベルａ〜ｄが表示用ラベルＡ〜Ｄから半切線、ミシン目等を介して分離可能な状態で該表示用ラベルＡ〜Ｄに結合され、表示用ラベルＡ〜Ｄと管理用ラベルａ〜ｄが１枚物のラベルを構成している。
【００３４】
管理用ラベルａ〜ｄは、ゴミの種類を色分け表示、即ちゴミの種類に応じて異なる色が付されたものとすることができる。
【００３５】
管理用ラベルａ〜ｄは、ゴミの種類を文字表示、即ちゴミの分別文字たる「可燃物」、「不燃物」等、ゴミの種別文字たる「缶」、「合板」等が付されたものとすることができる。
【００３６】
管理用ラベルａ〜ｄは、ゴミ袋１１Ａ〜１１Ｄの表面に剥離可能に貼着されるものとすることができる。
【００３７】
但し、ゴミ袋１１Ａ〜１１Ｄにおいて、表示Ａ〜Ｄは、ラベルの貼付けに限らず、袋に色付け、文字印刷等されても良いし、札のひも付け等によるものでも良い。また、管理用ラベルａ〜ｄは、貼付けに限らず、ひも付け等によるものでも良い。
【００３８】
▲２▼ゴミ収集箱１２への投入
上述▲１▼で各種ゴミのそれぞれが納められたゴミ袋１１Ａ〜１１Ｄは、複数人のゴミ廃棄者のそれぞれによって適時にゴミ収集箱１２に投入される。
【００３９】
このとき、ゴミ収集箱１２にはラベル回収具１３が付帯されている。ゴミ廃棄者は、ゴミ袋１１Ａ〜１１Ｄをゴミ収集箱１２に投入する度に当該ゴミ袋１１Ａ〜１１Ｄに取着されている管理用ラベルａ〜ｄを当該ゴミ袋１１Ａ〜１１Ｄから取外してラベル回収具１３に回収する。
【００４０】
本実施形態では、ラベル回収具１３は、プラスチック製板状台からなり、ゴミ収集箱１２に取外し自在に付帯される。そして、管理用ラベルａ〜ｄは、ゴミ袋１１Ａ〜１１Ｄに取着されている表示用ラベルＡ〜Ｄから分離された後、ラベル回収具１３の台に貼着される。ゴミ袋１１Ａ〜１１Ｄに取着されていた管理用ラベルａ〜ｄは、ゴミ袋１１Ａ〜１１Ｄに貼着されていて該ゴミ袋１１Ａ〜１１Ｄから剥離された使用済粘着面をラベル回収具１３の台に再び貼着されても良く、又はゴミ袋１１Ａ〜１１Ｄに表示用ラベルＡ〜Ｄを介して取着されていて該表示用ラベルＡ〜Ｄから分離された後に剥離紙を除去された新規粘着面をラベル回収具１３の台に貼着されても良い。ラベル回収具１３には、ゴミ収集箱１２に投入されたと同数の管理用ラベルａ〜ｄが順次貼着されて回収されることになる。
【００４１】
▲３▼ラベル回収具１３による管理
ゴミ収集箱１２がゴミ袋１１Ａ〜１１Ｄで満杯になり、ゴミ処理業者がゴミ収集箱１２、又はゴミ収集箱１２内のゴミ袋１１Ａ〜１１Ｄを搬出しようとするとき、ゴミ廃棄場の現場責任者等によりラベル回収具１３がゴミ収集箱１２から取外され、ラベル回収具１３をゴミ廃棄場の管理元たる建築会社等に移送する。
【００４２】
尚、ゴミ廃棄場の現場責任者等は、ゴミ収集箱１２がゴミ袋１１Ａ〜１１Ｄで満杯になる前でも、ラベル回収具１３に回収された管理用ラベルａ〜ｄに基づき、ゴミ収集箱１２に投入されたゴミ袋１１Ａ〜１１Ｄの種類、個数を集計し、ゴミの種類毎の処理状況をチェックできる。
【００４３】
管理元では、ラベル回収具１３に回収された管理用ラベルａ〜ｄに基づき、ゴミ収集箱１２に投入されたゴミ袋１１Ａ〜１１Ｄの種類、個数を集計し、ゴミの種類毎の処理状況を管理する。
【００４４】
▲４▼ゴミ処理業者による処理
ゴミ処理業者は、上述▲３▼のゴミ収集箱１２、又はゴミ収集箱１２から取出したゴミ袋１１Ａ〜１１Ｄをゴミ収集車によってゴミ処理場へ運搬し、処理する。このとき、ゴミ処理業者は、ゴミ袋１１Ａ〜１１Ｄに残存している表示用ラベルＡ〜Ｄに基づいてそれらのゴミ袋１１Ａ〜１１Ｄを分別処理する。
【００４５】
本実施形態によれば以下の作用効果がある。
（１）ゴミ袋１１Ａ〜１１Ｄをゴミ収集箱１２に投入する度に、ゴミ袋１１Ａ〜１１Ｄに取着されていた管理用ラベルａ〜ｄがゴミ袋１１Ａ〜１１Ｄから取外されてラベル回収具１３に回収される。従って、ゴミ廃棄場で発生したゴミの処理実績を、ゴミ廃棄場におけるゴミ収集箱１２への投入実数のチェックによることなく、ゴミ廃棄場においてラベル回収具１３に回収された管理用ラベルａ〜ｄの回収状況に基づき正確かつ能率的にチェックできる。
【００４６】
（２）ラベル回収具１３がゴミ管理元に移送され、ゴミ廃棄場で発生したゴミの処理実績を管理元において直ちに管理できる。
【００４７】
（３）管理元は、ラベル回収具１３に回収された管理用ラベルａ〜ｄの回収状況に基づき、上述（２）のゴミの処理実績を高精度に管理できる。
【００４８】
（４）ゴミ袋１１Ａ〜１１Ｄは、ゴミの種類に対応する表示用ラベルＡ〜Ｄと管理用ラベルａ〜ｄを併せ備える。従って、ゴミ袋１１Ａ〜１１Ｄをゴミ収集箱１２に投入するときに、管理用ラベルａ〜ｄがゴミ袋１１Ａ〜１１Ｄから取外されても、当該ゴミ袋１１Ａ〜１１Ｄには表示用ラベルＡ〜Ｄが残存し、この表示用ラベルＡ〜Ｄがゴミ処理場での当該ゴミ袋１１Ａ〜１１Ｄの分別処理の目安になる。
【００４９】
（５）表示用ラベルＡ〜Ｄと管理用ラベルａ〜ｄが分離可能な状態で結合されているから、それらのラベルはゴミ袋１１Ａ〜１１Ｄに１度に取着でき、ラベルの取着作業性が良い。
【００５０】
（６）表示用ラベルＡ〜Ｄと管理用ラベルａ〜ｄをゴミ袋１１Ａ〜１１Ｄから取外し可能とする場合には、ゴミ袋１１Ａ〜１１Ｄを任意の種類のゴミ用に繰り返し利用でき、ゴミ袋１１Ａ〜１１Ｄの取扱性が良い。
【００５１】
（７）管理用ラベルａ〜ｄを色分け表示することにより、ゴミの種類の表示性が良い。
【００５２】
（８）管理用ラベルａ〜ｄを文字表示することにより、ゴミの種類の表示性が良い。
【００５３】
（９）管理用ラベルａ〜ｄをゴミ袋１１Ａ〜１１Ｄに剥離可能に貼着することにより、ラベルの取着作業性、取外し作業性が良い。
【００５４】
（１０）管理用ラベルａ〜ｄが台状のラベル回収具１３に貼着されることにより、ラベル回収具１３の取扱性が良い。
【００５５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、ゴミ袋はゴミを収納できるものであれば良く、箱状体等であっても良い。
【００５６】
【発明の効果】
本発明によれば、ゴミ廃棄場で発生したゴミの処理実績を、ゴミ廃棄場において正確かつ能率的にチェックすることができる。
【００５７】
また、本発明によれば、ゴミ管理元によるゴミの処理実績の管理の迅速と高精度を図ることができる。
【図面の簡単な説明】
【図１】図１は本発明の一実施形態を示す模式図である。
【図２】図２は従来例を示す模式図である。
【符号の説明】
１０  ゴミ処理管理システム
１１Ａ〜１１Ｄ  ゴミ袋
１２  ゴミ収集箱
１３  ラベル回収具
Ａ〜Ｄ  表示用ラベル
ａ〜ｄ  管理用ラベル
【図１】
2004217329.tif 000003
【図２】
2004217329.tif 000004